(57)【特許請求の範囲】
【請求項１】
円柱状の軸部とこの軸部から全周かつ径方向に突出する板状部とを備え、上記軸部と上記板状部との接続部分にフィレット面を有する対象体の残留応力算出方法であって、
上記対象体を切削して新たな切削面を形成する工程と、
上記切削面上の複数箇所の残留応力を測定する工程と、
を含む測定サイクルを繰り返し行い、
上記切削面が、上記軸部の中心軸と同心の円錐面又は円筒面であり、
上記円錐面又は円筒面の延長面が、繰り返される上記測定サイクルで不変の基準位置を通ることを特徴とする残留応力算出方法。
【請求項２】
上記基準位置が、上記対象体の中央縦断面で最大の径を有する上記フィレット面の円弧の中心位置である請求項１に記載の残留応力算出方法。
【請求項３】
上記切削面上の残留応力を測定する工程において、上記円錐面又は円筒面の稜線方向の複数箇所で残留応力を測定する請求項１又は請求項２に記載の残留応力算出方法。
【請求項４】
上記切削面上の残留応力を測定する工程において、上記円錐面又は円筒面の稜線方向及びこの稜線に直交する接線方向の残留応力の成分を測定する請求項１、請求項２又は請求項３に記載の残留応力算出方法。
【請求項５】
上記切削面上の残留応力を測定する工程が、
上記切削面に歪ゲージを貼着する工程と、
上記切削面から上記歪ゲージを含む小片を切り出す工程と、
上記歪ゲージを用いて上記小片の解放歪を測定する工程と
を含む請求項１から請求項４のいずれか１項に記載の残留応力測定方法。
【請求項６】
上記小片を切り出す工程が、
上記歪ゲージに隣接する溝を形成する工程と、
上記溝に側方を切削する工具を挿入して、上記歪ゲージが貼着された上記切削面の表層を分離する工程と
を含む請求項５に記載の残留応力算出方法。
【請求項７】
上記対象体と均等な第２対象体の残留応力を測定する工程を備え、
上記第２対象体の残留応力を測定する工程が、
上記第２対象体の軸部の中心軸を通る２つの平面に沿って上記第２対象体を切断することにより測定片を得る工程と、
上記測定片の切断面の、上記円錐面又は円筒面の稜線に対応する直線上の複数箇所の残留応力を測定する工程と
を含む請求項１から請求項６のいずれか１項に記載の残留応力算出方法。
【請求項８】
上記測定片の切断面上の複数箇所の残留応力を測定する工程において、上記円錐面又は円筒面の稜線及び法線に対応する方向の残留応力の成分を測定する請求項７に記載の残留応力算出方法。
【請求項９】
上記測定片の切断面上の複数箇所の残留応力を測定する工程が、
上記測定片の切断面の、上記円錐面又は円筒面の稜線に対応する直線上に第２歪ゲージを並べて貼着する工程と、
上記測定片をさらに切断して上記測定片の残留応力を解放することにより、上記第２歪ゲージを用いて解放歪を測定する工程と
を含む請求項７又は請求項８に記載の残留応力測定方法。
【請求項１０】
上記第２対象体の表面上の複数箇所の残留応力を測定する工程を備える請求項７、請求項８又は請求項９に記載の残留応力算出方法。
【請求項１１】
上記第２対象体の表面上の複数箇所の残留応力を測定する工程において、上記第２対象体の表面と上記中心軸を通る平面との交線方向及びこの交線に直交する方向の残留応力の成分を測定する請求項１０に記載の残留応力算出方法。
【請求項１２】
上記第２対象体の表面上の複数箇所の残留応力を測定する工程が、上記第２対象体の表面に第３歪ゲージを貼着する工程を含む請求項１０又請求項１１に記載の残留応力算出方法。
【請求項１３】
上記対象体の上記軸部と上記第２対象体の上記軸部とが一体に形成されている請求項７から請求項１２のいずれか１項に記載の残留応力算出方法。
【発明の詳細な説明】
【技術分野】
【０００１】
本発明は、残留応力算出方法に関する。
【背景技術】
【０００２】
残留応力は、構造物の強度や寿命に影響を及ぼすため、構造物の内部の残留応力を正確に測定することが望まれる。残留応力の発生源となっている熱歪、塑性歪等の歪は、固有歪と呼ばれ、この固有歪から残留応力を算出する固有歪法が提唱されている。固有歪法では、残留応力が解放されることにより生じる解放歪（弾性歪）を測定し、有限要素法を用いた逆解析により、計測した解放歪から固有歪の分布を導出し、さらには有限要素法を用いた順解析により残留応力の分布を算出する。
【０００３】
例えば、軸状部材の残留応力を固有歪法により算出する場合、構造物を軸方向に切断した測定片（Ｔ片）と、このＴ片の切断方向と直交する方向に切断した測定片（Ｌ片）とを用いたＴ−Ｌ法が知られている。Ｔ片とＬ片について解放歪を測定し、円筒座標上のモデルにおいて有限要素法を用いて固有歪を導出し、さらに残留応力を算出する方法が提唱されている（特開２０１１−１８１１７２号公報、「固有歪法による溶接残留応力の測定」等参照）。
【０００４】
固有歪法は原理上必ずしも測定したい部位の解放歪を直接測定する必要はないが、解放歪の測定には誤差があり、初期状態の残留応力が高い位置の解放歪を測定した方が残留応力の予測精度を高められる。したがって、残留応力の勾配が急峻な部分にはより多くの測定点を設定すること望ましいが、対象体の切断間隔には物理的な限界があり、従来のＴ−Ｌ法を適用すると残留応力の勾配が急峻な部分が一つの切断片に含まれてしまう場合がある。このため、構造物の形状によっては残留応力の算出精度が不十分となることがある。
【０００５】
特に、円柱状の軸部とこの軸部から径方向に突出する板状部（フランジ）とを備え、軸部と板上部との接続部分に応力集中を緩和するためのフィレット面を設けた構造物の場合、フィレット面が最弱部位となる可能性が高く、最弱部位であるフィレット面を高強度化するために表面処理技術が適用される場合がある。フィレット面に表面処理技術を適用した構造物の場合、フィレット面の近傍に集中的に残留応力が分布する。しかしながら、従来のＴ−Ｌ法による円筒座標モデルを用いた解析では、フィレット面全体が１つのＬ片に含まれてしまうことにより、フィレット面近傍の局所的な残留応力分布を十分な精度で解析できないという不都合があった。
【先行技術文献】
【特許文献】
【０００６】
【特許文献１】特開２０１１−１８１１７２号公報
【非特許文献】
【０００７】
【非特許文献１】中長啓治、他５名「固有歪法による溶接残留応力の測定」、溶接学会論文集、平成２１年３月、第２７巻、第１号、Ｐ．１０４−１１３
【発明の概要】
【発明が解決しようとする課題】
【０００８】
上記不都合に鑑みて、本発明は、円柱状の軸部とこの軸部から径方向に突出する板状部とを接続するフィレット面近傍に生じた残留応力の分布を精度よく算出できる残留応力算出方法を提供することを課題とする。
【課題を解決するための手段】
【０００９】
上記課題を解決するためになされた発明は、円柱状の軸部とこの軸部から全周かつ径方向に突出する板状部とを備え、上記軸部と上記板状部との接続部分にフィレット面を有する対象体の残留応力算出方法であって、上記対象体を切削して新たな切削面を形成する工程と、上記切削面上の複数箇所の残留応力を測定する工程とを含む測定サイクルを繰り返し行い、上記切削面が、上記軸部の中心軸と同心の円錐面又は円筒面であり、上記円錐面又は円筒面の延長面が、繰り返される上記測定サイクルで不変の基準位置を通ることを特徴とする。
【００１０】
当該残留応力算出方法は、基準位置を通る円錐面又は円筒面の形状に切削面を繰り返し形成するので、基準位置の近傍の測定点を密に設定できる。これにより、残留応力の測定点の間隔を小さくして測定データを多くできる。その結果、当該残留応力算出方法は、フィレット面近傍の残留応力の分布を精度よく算出できる。
【００１１】
また、当該残留応力算出方法において、上記基準位置が、上記対象体の中央縦断面で最大の径を有する上記フィレット面の円弧の中心位置であるとよい。この中心位置は、中央縦断面において解放歪の測定点の位置を表すための極座標（局所座標）の原点であるため、このようにフィレット面の最も支配的な円弧の中心を基準位置とすることにより、フィレット面の近傍に測定点を多く配置できる。これにより、固有歪、ひいては残留応力の算出精度が高くなる。
【００１２】
また、上記切削面上の残留応力を測定する工程において、上記円錐面又は円筒面の稜線方向の複数箇所で残留応力を測定するとよい。このように稜線方向に並んで測定点を設定することにより、実質的に円筒面又は円周面の全体について対象体の固有歪の分布を効率よく算出できる。また、稜線方向に並ぶ測定点の位置を周方向に千鳥状に分割しても良い。一方、軸状の対象体ではない場合、上記円錐面又は円筒面の稜線方向測定位置を周方向に数箇所測定することで、円筒面又は円周面の全体について対象体の固有ひずみの分布を算出できる。
【００１３】
また、上記切削面上の残留応力を測定する工程において、上記円錐面又は円筒面の稜線方向及びこの稜線に直交する接線方向の残留応力の成分を測定するとよい。これにより、中央縦断面上での測定点の配置に係る極座標の動径方向（原点から見た測定点の方向）と歪ゲージによる測定方向とが一致するので、解析が容易になる。
【００１４】
また、当該残留応力算出方法において、上記切削面上の残留応力を測定する工程が、上記切削面に歪ゲージを貼着する工程と、上記切削面から上記歪ゲージを含む小片を切り出す工程と、上記歪ゲージを用いて上記小片の解放歪を測定する工程とを含むとよい。このように解放歪を測定することにより、残留応力を正確に算出できる。
【００１５】
また、当該残留応力算出方法において、上記小片を切り出す工程が、上記歪ゲージに隣接する溝を形成する工程と、上記溝に側方を切削する工具を挿入して、上記歪ゲージが貼着された上記切削面の表層を分離する工程とを含むとよい。このような切削により小片を切り出すことで、切削面表面に形成される切削溝を浅くできる。このため、次の切削面との角度差を小さくできるので、測定点を密に設定して固有歪、ひいては残留応力の算出精度を高められる。
【００１６】
また、当該残留応力算出方法が、上記対象体と均等な第２対象体の残留応力を測定する工程を備え、上記第２対象体の残留応力を測定する工程が、上記第２対象体の軸部の中心軸を通る２つの平面に沿って上記第２対象体を切断することにより測定片を得る工程と、上記測定片の切断面の、上記円錐面又は円筒面の稜線に対応する直線上の複数箇所の残留応力を測定する工程とを含むとよい。これにより、測定点をより多くして残留応力の算出精度をさらに向上させられる。
【００１７】
上記測定片の切断面上の複数箇所の残留応力を測定する工程において、上記円錐面又は円筒面の稜線及び法線に対応する方向の残留応力の成分を測定するとよい。第２対象体の測定片における残留応力の測定方向の一方を、測定点の配置に係る極座標の動径方向とすることで、演算が容易となる。また、第２対象体の測定片における残留応力の測定方向の他方を、対象体の切削面の法線に対応する方向とすることで、対象体の切削面において測定できない方向の残留応力の成分を測定できる。このため、当該残留応力算出方法は、より正確に残留応力を算出できる。
【００１８】
また、当該残留応力算出方法において、上記測定片の切断面上の複数箇所の残留応力を測定する工程が、上記測定片の切断面の上記円錐面又は円筒面の稜線に対応する直線上に第２歪ゲージを並べて貼着する工程と、上記測定片をさらに切断して上記測定片の残留応力を解放することにより、上記第２歪ゲージを用いて解放歪を測定する工程とを含むとよい。第２対象体においても解放歪を測定することにより、残留応力を正確に算出できる。
【００１９】
また、当該残留応力算出方法が、上記第２対象体の表面上の複数箇所の残留応力を測定する工程を備えるとよい。このように第２対象体の外表面の残留応力を測定することで、残留応力の算出精度をさらに向上させられる。
【００２０】
また、上記第２対象体の表面上の複数箇所の残留応力を測定する工程において、上記第２対象体の表面と上記中心軸を通る平面との交線方向及びこの交線に直交する方向の残留応力の成分を測定するとよい。このように第２対象体の表面と中心軸を通る平面との交線方向及びこの交線に直交する方向の残留応力の成分を測定することで、第２対象体の表面上の残留応力の測定方向の一方が測定点の配置に係る極座標の偏角方向と一致するので、解析が容易になる。
【００２１】
また、当該残留応力算出方法において、上記第２対象体の表面上の複数箇所の残留応力を測定する工程が、上記第２対象体の表面に第３歪ゲージを貼着する工程を含むとよい。このように第２歪ゲージを用いて解放歪を測定する際に、合わせて第３歪ゲージを用いて第２対象体の外表面の解放歪を測定することで、残留応力の算出精度を向上させられる。
【００２２】
また、当該残留応力算出方法において、上記対象体の上記軸部と上記第２対象体の上記軸部とが一体に形成されているとよい。１つの構造体から対象体と第２対象体とを採取することで、当該残留応力算出方法に使用するサンプルの数を少なくできる。
【発明の効果】
【００２３】
当該残留応力算出方法によれば、基準位置を通る円錐面又は円筒面状の切削面を順次形成するので、基準位置の近傍における解放歪の測定間隔を小さくして残留応力の分布を精度よく算出できる。
【図面の簡単な説明】
【００２４】
【図１】本発明の一実施形態の残留応力算出方法の流れを示す流れ図である。
【図２】図１の残留応力算出方法により残留応力を算出する軸状部材を示す模式的断面図である。
【図３】図１の逐次切削解放歪測定工程において順次形成される切削面を示す対象体の模式的断面図である。
【図４】図１の逐次切削解放歪測定工程の詳細な流れを示す流れ図である。
【図５】図４の基準位置決定工程において決定される基準位置の３つの例を示す模式的断面図である。
【図６】図４の歪ゲージ貼着工程における対象体の例を示す模式的斜視図である。
【図７】図４の隣接溝形成工程において隣接溝を形成した対象体の例を示す模式的斜視図である。
【図８】図４の隣接溝形成工程を説明する対象体の模式的断面図である。
【図９】図４の表層分離工程を説明する対象体の模式的断面図である。
【図１０】図４の層分離工程により切り出された小片の例を示す図である。
【図１１】図１の測定片切り出し解放歪測定工程の詳細な流れを示す流れ図である。
【図１２】図１１の表面測定片及び測定片切り出し工程における対象体の切断方法を示す模式的斜視図である。
【図１３】測定片への歪ゲージ貼着位置を示す模式的部分拡大平面図である。
【図１４】図１の逐次切削解放歪測定工程及び測定片切り出し解放歪測定工程における解放歪測定方向を示す軸状部材の模式的断面図である。
【図１５】図１の残留応力算出方法の実施例において算出された残留応力の分布を示す図である。
【発明を実施するための形態】
【００２５】
以下、適宜図面を参照しつつ、本発明の実施の形態を詳説する。
【００２６】
［残留応力算出方法］
図１に示す残留応力算出方法は、軸状部材の残留応力を算出する方法である。以下、当該残留応力算出方法について、図２の軸状部材１の残留応力を算出する場合について説明する。
【００２７】
当該残留応力算出方法では、先ず、図１のステップＳ０１の対象体採取工程において、軸状部材１から実際の測定に使用する複数の対象体（試験片）を採取し、一部の対象体を用いてステップＳ０２の逐次切削解放歪測定工程において逐次切削による解放歪の測定を行い、残る対象体を用いてステップＳ０３の測定片切り出し解放歪測定工程において測定片切り出しによる解放歪の測定を行う。そして、ステップＳ０４の固有歪導出工程では、ステップＳ０３で測定した解放歪の分布から有限要素法逆解析により固有歪の分布を導出する。最後に、ステップＳ０５の残留応力算出工程において、固有歪の分布から有限要素法順解析により残留応力の分布を算出する。
【００２８】
図２の軸状部材１は、円柱状の軸２とこの軸２から全周かつ径方向に突出する板状部３とを備え、上記軸２と上記板状部３との接続部分にフィレット面５を有する。この軸状部材１は、軸２に４つの円盤型の板状部３が等間隔に設けられている。
【００２９】
＜対象体採取工程＞
図１のステップＳ０１では、この軸状部材１を二点鎖線で示す位置で切断することにより、同一の形状を有し、残留応力について均等とみなせる３つの対象体４が採取される。対象体４は、軸２を分割した円柱状の軸部２ａと、この軸部２ａから全周かつ径方向に突出する板状部３とを備え軸部２ａと板状部３との接続部分にフィレット面５を有する。便宜上、これらの対象体４の内、後で詳述するステップＳ０２の逐次切削解放歪測定に供される２つを第１対象体４ａと呼び、後で詳述するステップＳ０３の測定片切り出し解放歪測定に供される１つを第２対象体４ｂと呼ぶ。
【００３０】
＜逐次切削解放歪測定工程＞
図１のステップＳ０２における逐次切削による解放歪測定工程では、図３に示すように、第１対象体４ａを繰り返し切削して軸部２ａの中心軸Ｃと同心で、中心軸Ｃに対する傾斜角が一定の角度ずつ異なる円錐面又は円筒面である切削面６を順次形成し、各切削面６から小片を切り出してその解放歪を歪ゲージにより測定する測定サイクルを繰り返すことで、解放歪を得る。
【００３１】
図４に、図１のステップＳ０２における逐次切削解放歪測定工程の詳細な流れを示す。この逐次切削解放歪測定工程では、先ず、ステップＳ１１において、第１対象体４ａの外側でフィレット面５の近傍に基準位置Ｐｓを定める。
【００３２】
この基準位置Ｐｓは、図５（Ａ）に示すように、フィレット面５が単一の半径Ｒ１を有する円弧からなる場合には、第１対象体４ａの中央縦断面（中心軸Ｃを通る平面）においてフィレット面５の円弧の中心位置とすることが好ましい。しかしながら、図５（Ｂ）のように、フィレット面５が異なる半径（Ｒ１，Ｒ２）を有する複数の円弧からなる場合、特に残留応力を正確に知りたい範囲において、最も大きい半径（Ｒ１）を有する円弧の中心を基準位置Ｐｓとすることが好ましい。また、図５（Ｃ）のように、特に残留応力を正確に知りたい範囲内において最も長さが大きい円弧（半径Ｒ３より小さい半径Ｒ１の円弧）の中心を基準位置Ｐｓとしてもよい。
【００３３】
続いて、図４のステップＳ１２において、図３における切削面６間の角度及び測定サイクルの総数（切削回数）を決定する。切削面６間の角度は、フィレット面５と切削面６との交点間の距離が、後述するステップＳ１６における隣接溝の深さより大きくなるように定める。測定サイクルの総数は、残留応力を確認したい範囲と上記切削面６間の角度とによって定められる。複数の第１対象体４ａを使用する場合、最初の切削面６の角度を等価な複数の第１対象体４ａ間で異ならせてそれらの測定結果を統合することにより、実質的に測定データを得られる切削面６の角度の間隔を小さくできる。図３の場合、切削面６間の角度は２０°であるが、２つの第１対象体４ａを使用するため、１０°間隔で解放歪の測定値が得られる。
【００３４】
そして、この測定サイクルの総数と同じ回数だけ、ステップＳ１３からステップＳ１９までの工程を繰り返す。ステップＳ１４では、第１対象体４ａを切削して、円錐面（又は円筒面）からなる新たな切削面６を形成する。ステップＳ１５では、図６に示すように、新しく形成した切削面６に複数の第１歪ゲージ７を貼着する。
【００３５】
第１歪ゲージ７は、切削面６（円錐面又は円筒面）の稜線方向（円錐面に含まれる直線の方向）の複数箇所に並べて貼着される。好ましくは、第１歪ゲージ７は、フィレット面５に近い領域においては小さい間隔（例えば６ｍｍ間隔）、フィレット面５から離れるほど大きい間隔で貼着される。第１対象体４ａが回転体なので、残留応力及び固有歪は周方向に等価であり、図示するように第１歪ゲージ７を複数列に分けて、稜線方向にずらして貼着することにより、実質的に稜線方向に測定点の間隔を小さくできる。
【００３６】
また、第１歪ゲージ７は、直交する２方向の歪を検出できるものを使用して、切削面６の稜線方向Ｄ１及びこの稜線方向に直交する接線方向（周方向）Ｄ２の歪を検出できるよう配向することが好ましい。そのように配列できる２軸の第１歪ゲージ７としては、例えば、ベース径４．５ｍｍ、ゲージ長１ｍｍかつゲージ幅０．７ｍｍのものが入手可能である。
【００３７】
第１歪ゲージ７を貼着した後、ステップＳ１６において、図７に示すように、第１歪ゲージ７に沿って隣接溝８を形成する。隣接溝８は、例えば図８に示すように、エンドミル９により形成できる。隣接溝８は、個々の第１歪ゲージ７を取り囲むように形成してもよい。
【００３８】
そして、ステップＳ１７では、図９に示すように隣接溝８に側方を切削するＴスロットカッター１０を挿入し、第１歪ゲージ７の下層を除去する。図８及び図９では、第１歪ゲージ７の一側の隣接溝８がＴスロットカッター１０を垂直に挿入できるような広い幅を有している。Ｔスロットカッター１０によって第１歪ゲージ７の下層を切除すれば、切削面６から第１歪ゲージ７の列を含む帯状の表層部分を分離できる。こうして分離した帯状の表層部分をさらに第１歪ゲージ７間で切断することによって、図１０に示すような第１歪ゲージ７を含む小片１１（例えば、第１歪ゲージ７を除く厚さが約２．３ｍｍ）を切り出すことができる。このようにして切り出した小片１１は、残留応力が解放されて解放歪を生じる。この解放歪は、ステップＳ１８において第１歪ゲージ７により測定される。
【００３９】
ステップＳ１９において、ステップＳ１２で決定した数の測定サイクルが完了していれば、この逐次切削解放歪測定工程は終了する。
【００４０】
＜測定片切り出し解放歪測定工程＞
続いて、図１１に、図１のステップＳ０３における測定片を切り出して行う解放歪測定工程の詳細な流れを示す。
【００４１】
この測定片切り出し解放歪測定工程では、図１２に示すように、第２対象体４ｂを切断して内部測定片１２及び表面測定片１３を切り出す。そして、内部測定片１２は、図１３に示すように複数の第２歪ゲージ７ａを用いた第２対象体４ｂ内部の解放歪の測定に供され、表面測定片１３は、図１２に示すようにフィレット面５に第３歪ゲージ７ｂを貼着して行うフィレット面５の表面の解放歪の測定に供される。
【００４２】
詳しく説明すると、この測定片切り出し解放歪測定工程では、先ず、ステップＳ２１において、図１２に示すように、第２対象体４ｂのフィレット面５に軸部２ａの中心軸Ｃを通る平面上に中心が位置するように並んだ複数箇所に複数の第３歪ゲージ７ｂを貼着する。この第３歪ゲージ７ｂは、第２対象体４ｂの表面と中心軸Ｃを通る平面との交線方向及びこの交線に直交する方向（周方向Ｄ２）の歪を検出できるよう配向することが好ましい。そして、ステップＳ２２において、図１２に示すように、第２対象体４ｂを鋸で平面的に切断して内部測定片１２及び表面測定片１３を切り出す。
【００４３】
図示した実施形態では、内部測定片１２は、中心軸Ｃ上で５°の角度で交わる２つの平面（中央縦断面）によって画定され、表面測定片１３は、中心軸Ｃ上で１０°の角度で交わる２つの平面（中央縦断面）によって画定されている。２つの表面測定片１３が並んで切り出され、２つの表面測定片１３の両側からそれぞれ１つの内部測定片１２が切り出される。また、対象体の切断間隔には物理的な限界があり、内部測定片１２及び表面測定片１３の切り出しに際して、第２対象体４ｂを中央縦断面に沿って切断する前に、２つの表面測定片１３の間を分離する切断面に直交する中心軸Ｃと平行な２つの切断面により第２対象体４ｂの中央部を予め切除することで、内部測定片１２を切り出せるようにしてある。これにより、内部測定片１２及び表面測定片１３は中心軸Ｃ側が切除された形状を有する。
【００４４】
このようにして切り出された内部測定片１２を用いて、ステップＳ２３において、Ｘ線残留応力測定を行う。ここでのＸ線残留応力測定は、内部測定片１２の中央縦断面に上述の逐次切削解放歪測定工程における第１対象体４ａの切削面６を構成する円錐面又は円筒面の稜線に対応する極座標を設定して測定点を決定する。Ｘ線残留応力測定の測定間隔は第１歪ゲージ７の貼着間隔よりも小さくてもよい（例えば０．５ｍｍ）。
【００４５】
そして、ステップＳ２４において、ステップＳ２３で測定された残留応力を、他の測定値と合わせて利用できるように、解放歪と等価な値に換算する。
【００４６】
さらに、ステップＳ２５において、図１３に示すように内部測定片１２に第２歪ゲージ７ａが並べて貼着される。これらの第２歪ゲージ７ａは、上述の逐次切削解放歪測定工程における第１対象体４ａの切削面６を構成する円錐面又は円筒面の稜線に対応する直線上の複数箇所に並んで配置される。さらに、第２歪ゲージ７ａは、好ましくは、第１対象体４ａの切削面６における第１歪ゲージ７と同じ間隔で、つまり逐次切削解放歪測定における解放歪の測定位置と合致する位置に貼着される。また、これらの第２歪ゲージ７ａは、第１対象体４ａの切削面６を構成する円錐面又は円筒面の稜線に対応する方向Ｄ１及び第１対象体４ａの切削面６を構成する円錐面又は円筒面の法線方向Ｄ３の歪を検出するように配向される。
【００４７】
そして、ステップＳ２６において、内部測定片１２及び表面測定片１３をさらに切断して、第２歪ゲージ７ａ及び第３歪ゲージ７ｂを含む部分の残留応力をそれぞれ解放し、ステップＳ２７において、第２歪ゲージ７ａ及び第３歪ゲージ７ｂによってそれぞれ解放歪を測定する。
【００４８】
ステップＳ２３におけるＸ線を用いた残留応力の測定は、理論的には高い精度を有し、測定間隔を小さくできるものの、表面粗さ等の測定条件の影響が大きいため、精度よく測定ためにはかなりの手間がかかる。一方、ステップＳ２５からステップＳ２７における第２歪ゲージ７ａを用いた第２対象体４ｂ内部の解放歪の測定は、第２歪ゲージ７ａの大きさにより測定間隔に制約はあるが、比較的容易に行うことができる。このため、ステップＳ２７では、Ｘ線を用いて測定した残留応力の測定値をステップＳ２４において解放歪に換算した値と、ステップＳ２５からステップＳ２７において第２歪ゲージ７ａを用いて測定した解放歪の測定値とを組み合わせて用いることにより、正確性と簡便性とのバランスをとることができる。
【００４９】
図１４に示すように、中央縦断面上の基準位置Ｐｓを中心とする極座標における各測定点における解放歪の測定データは、切削面６の稜線方向からＤ１方向の成分とこれに直交するＤ２方向の成分つまり座標平面に直交する方向（第１対象体４ａ及び第２対象体４ｂの周方向）の成分が測定され、内部測定片１２においてＤ１方向の成分とこれに直交するＤ３方向の成分が測定される。このように、各測定点における解放歪の直交三次元成分すべてが得られるため、固有歪の導出精度が向上すると共に演算が容易である。
【００５０】
＜固有歪導出工程＞
図１のステップＳ０４では、ステップＳ０３で得られた解放歪のデータを基に、有限要素法による逆解析により固有歪の分布を導出する。
【００５１】
ここで、解放歪（弾性歪）と固有歪との関係は、次の式（１）で表わされる。
【００５２】
【数１】
0005955301.tif 000002
【００５３】
弾性応答マトリックス［Ｈ］は、計測した解放歪の測定条件（測定形状）に対する固有歪成分の感度を表している。つまり、［Ｈ］マトリックスの成分は、測定形状に依存し、個々の固有歪成分に単位歪を与えた際の弾性応答を求める繰返し計算により算出される。
【００５４】
また、計測した解放歪には必ず誤差が含まれるため、固有歪の最確値と解放歪との間には次の式（２）の関係がある。
【００５５】
【数２】
0005955301.tif 000003
【００５６】
固有歪成分の最確値は、残差の平方和を最小にする条件から一意的に与えられる（最小二乗法）。近年では、物体内で分布している固有歪を関数で表示する手法が適用される場合が多い。固有歪を直接計算するのではなく、設定した関数の係数の値を計算することで固有歪分布を求める。この場合、式（１）及び式（２）の固有歪成分及び最確値に代わって、分布関数の係数が未知数として計算される。このような関数表示を用いることにより、未知数の数を大幅に減少できる。
【００５７】
＜残留応力算出工程＞
当該残留応力算出方法では、最後に、図１のステップＳ０５において、ステップＳ０４で導出した固有歪の分布に基づいて、有限要素法の順解析により残留応力の分布を算出する。
【００５８】
対象体４に最初に存在していた残留応力と固有歪の関係は、次の式（３）で表される。
【００５９】
【数３】
0005955301.tif 000004
【００６０】
固有歪と残留応力との関係を表す弾性応答マトリックスは、有限要素解析により導出される。
【００６１】
＜利点＞
当該残留応力算出方法は、第１対象体４ａに基準位置Ｐｓを通る円錐面又は円筒面からなる切削面６を順次形成して、その切削面から小片１１を切り出すことにより、中央縦断面において基準位置Ｐｓを中心とする極座標上に設定される複数の測定点の解放歪を測定する。これにより、第１対象体４ａの内部のフィレット面５の近傍に多数の測定点を設定し、それぞれの測定点の歪を測定するため、当該残留応力算出方法は、フィレット面５の近傍の残留応力分布を詳細に算出できる。
【００６２】
さらに、当該残留応力算出方法では、第１対象体４ａと均等な第２対象体４ｂから２つの中央縦断面で切断して切り出した内部測定片１２を用い、第１対象体４ａについて設定した測定点と対応する測定点において、第１対象体４ａで測定した２方向Ｄ１，Ｄ２の解放歪と直交する方向Ｄ３の解放歪を測定する。これにより、各測定点における解放歪のデータとして直交三次元成分すべてが得られるため、正確な固有歪、ひいては残留応力を算出できる。また、第２対象体４ｂの表面においても、方向Ｄ２とこれに直交する方向の解放歪を測定するので、残留応力の算出精度を高められる。
【００６３】
［その他の実施形態］
今回開示された実施の形態はすべての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００６４】
当該残留応力算出方法は、対象体の軸部と同心かつ基準位置を通る円錐面又は円筒面からなる切削面を形成し、この切削面の歪を解析することを主題とする。したがって、この他の工程は、省略又は他の工程と置換してもよい。よって、内部測定片１２及び表面測定片１３を用いた測定は、必須の工程ではない。また、例えば、歪ゲージ７を用いた解放歪の測定による解析に替えて、各切削面の歪をＸ線回折法、中性子回折法、音弾性法等によって非破壊測定してもよい。
【００６５】
当該残留応力算出方法において、切削面６から小片１１を切り出す工具は、回転軸に対して径方向に切削できる工具であればよく、Ｔスロットカッター１０に替えてＶ溝カッターのような工具を用いてもよい。
【００６６】
また、当該残留応力算出方法において、第１対象体４ａと第２対象体４ｂとは、同一の軸状部材１から切り出したものに限らず、別の軸状部材１から切り出したものであってもよい。
【００６７】
さらに、第１対象体４ａ及び第２対象体４ｂの個数を任意に増加して、切削面６の角度差をより小さい角度としてもよい。
【００６８】
また、当該残留応力算出方法において、基準位置Ｐｓは、フィレット面５の円弧の中心に限定されず、残留応力を詳細に求めたい部分における測定点の間隔（順次形成する切削面間の間隔）を小さくできる位置であればどのように定めてもよい。
【実施例】
【００６９】
以下、実施例によって本発明をさらに詳細に説明するが、本発明はこれらの実施例に限定されるものではない。
【００７０】
上述の実施形態に基づいて、当該残留応力算出方法により算出した残留応力の中央縦断面における分布を図１５に図示する。この測定に用いた第１対象体及び第２対象体は、軸部が直径２８０ｍｍ、板上部が厚さ８０ｍｍかつ直径５００ｍｍであり、フィレット面の主要部の半径が２２ｍｍである。
【００７１】
図示するように、当該残留応力算出方法では、詳細な残留応力の分布を求めることができる。
【産業上の利用可能性】
【００７２】
当該残留応力算出方法が適用される軸状部材として、クランクシャフト等が考えられる。クランクシャフトにおいて、シャフト部を軸部、アーム及びカウンターウェイトが一体となったウェブを板状部として当該残留応力算出方法が適用されるのはもちろん、ピンを軸部、アームを板状部として当該残留応力算出方法を適用することもできる。他にも、当該残留応力算出方法は、多様な構造物の解析に利用できる。
【符号の説明】
【００７３】
１  軸状部材
２  軸
２ａ  軸部
３  板状部
４  対象体
４ａ  第１対象体
４ｂ  第２対象体
５  フィレット面
６  切削面
７  歪ゲージ
７ａ  第２歪ゲージ
７ｂ  第３歪ゲージ
８  隣接溝
９  エンドミル
１０  Ｔスロットカッター
１１  小片
１２  内部測定片
１３  表面測定片
Ｃ  中心軸
Ｐｓ  基準位置
【図１】
0005955301.tif 000005
【図２】
0005955301.tif 000006
【図３】
0005955301.tif 000007
【図４】
0005955301.tif 000008
【図５】
0005955301.tif 000009
【図６】
0005955301.tif 000010
【図７】
0005955301.tif 000011
【図８】
0005955301.tif 000012
【図９】
0005955301.tif 000013
【図１１】
0005955301.tif 000014
【図１２】
0005955301.tif 000015
【図１３】
0005955301.tif 000016
【図１４】
0005955301.tif 000017
【図１５】
0005955301.tif 000018
【図１０】
0005955301.tif 000019